(57)【特許請求の範囲】
【請求項１】
前面に開口部を有し、内部に複数段の陳列棚を備えた収納室を形成し、少なくとも左右の一側面は複層ガラスとした断熱箱体を備え、前記収納室の前記陳列棚上に載置した被陳列物を冷蔵保存するとともに前記前面開口部から取出し自在としたオープンショーケースにおいて、
前記側面の複層ガラスは、前記内側ガラスと前記外側ガラスとの全周縁部に沿ってシール材を介在させてなり、
前記収納室を照明するＬＥＤ照明装置を設け、
前記ＬＥＤ照明装置は、上下方向に長く不透明材からなるＬＥＤ基板に、上下方向に所定間隔を存して複数のＬＥＤ素子を設けてなり、
前記ＬＥＤ照明装置における上下方向に長く不透明材からなる前記ＬＥＤ基板を、前記複層ガラスにおける前記シール材の内側に沿う前記外側ガラスの内面に密着固定し、
前記ＬＥＤ照明装置における前記ＬＥＤ素子を、前記複層ガラスにおける前記シール材の内側に沿う前記内側ガラスに対向させた
ことを特徴とするオープンショーケース。
【請求項２】
前記ＬＥＤ装置の上端部に端子部を設け、前記端子部に電気的に接続するリード線を前記断熱箱体の上部から延出させた
ことを特徴とする請求項１記載のオープンショーケース。
【請求項３】
前記ＬＥＤ照明装置の近傍、もしくはＬＥＤ照明装置自体に、前記前面開口部から外部へ漏れる照明光を遮蔽する防眩手段を備えた
ことを特徴とする請求項１および請求項２のいずれかに記載のオープンショーケース。
【発明の詳細な説明】
【技術分野】
【０００１】
本発明の実施態様は、前面に設けた開口部から内部の収納室に配置された陳列棚上の被陳列物を取出し自在なオープンショーケースに関する。
【背景技術】
【０００２】
前面に設けた開口部から内部の収納室に配置された陳列棚上の被陳列物（以下、「商品」と呼ぶ）を、顧客が取出し自在とするオープンショーケースが多用される。この種のオープンショーケースにおいて、収納室内を照明する照明灯として従来、蛍光灯が用いられていた。
【０００３】
具体的には、収納室の上端部前端縁に沿って水平に蛍光灯を取付け、収納室内を照明していた。しかしながら、陳列棚が上下方向に複数段になり、収納室が上下方向に長くなると、蛍光灯から離れるにしたがって照明が不十分になり、下部の陳列棚の影になる、という問題が生じる。
【０００４】
この問題に対処するため、蛍光灯を中段の陳列棚の前端縁下面にも取付けて、収納室の下部側も照明するようにしたオープンショーケースがある。  
ただし、収納される商品の高さ寸法が異なる場合があるため、陳列棚を上下に移動可能になっており、商品によって陳列棚の位置を移動させる。このため、陳列棚の下面に取付けた蛍光灯も移動させることになる。
【０００５】
陳列棚の下面の蛍光灯は、陳列棚に沿って電源ラインであるリード線が接続されているので、棚を上下に移動させるたびに蛍光灯に接続するリード線を見苦しくないよう、陳列棚に沿わせて配線を隠すのが面倒であった。
【０００６】
一方、蛍光灯に代って、ＬＥＤ照明装置を備えたショーケースが、［特許文献１］に開示される。これは前面に透明板が嵌め込まれた横長の断熱箱体で、内部の収納室に収納した商品を前方外部から透明板を介して視認できる。収納室への商品の出し入れは、断熱箱体の背面に設けたスライド扉を左右方向にスライドし、物品出入り口を開放して行う。
【先行技術文献】
【特許文献】
【０００７】
【特許文献１】特開２００８−２８４２３９号公報
【発明の概要】
【発明が解決しようとする課題】
【０００８】
すなわち、この種の冷凍ショーケースは、たとえば寿司屋等のカウンタに配置され、収納室内の収納ネタ等の生鮮食材を展示しながら冷凍保存するのに用いられる。したがって、先に述べたような前面に開口部があって、ここから顧客が直接、収納室内の陳列棚にある商品を取出し可能としたオープンショーケースとは異なる。
【０００９】
この種のＬＥＤ照明装置を、上記構成のオープンシューケースに適用すべく収納室の上端部前端縁に取付けると、従来の上部に蛍光灯を設けたものと変わりなく、下部の陳列棚の影ができ、収納室を隅々まで充分に照明することができない。  
中段の陳列棚の前端縁に沿ってＬＥＤ照明装置を追加取付けしてもよいが、陳列棚の位置が変動する際に、その配線処理が面倒なものとなってしまう。
【００１０】
このような事情から、前面に開口部を有し、上下方向に長い収納室に複数段の陳列棚を備えたうえで、収納室のスペースを損なうことなく隅々まで充分に照明でき、陳列棚の位置変動に係り合いが無いオープンショーケースが望まれていた。
【課題を解決するための手段】
【００１１】
本実施形態は、前面に開口部を有し、内部に複数段の陳列棚を備えた収納室を形成し、少なくとも左右の一側面は複層ガラスとした断熱箱体を備え、収納室の陳列棚上に載置した被陳列物を冷蔵保存するとともに前面開口部から取出し自在としたオープンショーケースである。  
前記複層ガラスは、内側ガラスと外側ガラスとの全周縁部に沿ってシール材を介在させてなる。
前記収納室を照明するＬＥＤ照明装置を設けている。
前記ＬＥＤ照明装置は、上下方向に長く不透明材からなるＬＥＤ基板に、上下方向に所定間隔を存して複数のＬＥＤ素子を設けてなる。
前記ＬＥＤ照明装置における上下方向に長く不透明材からなるＬＥＤ基板を、前記複層ガラスにおけるシール材の内側に沿う外側ガラスの内面に密着固定し、前記ＬＥＤ照明装置におけるＬＥＤ素子を、前記複層ガラスにおけるシール材の内側に沿う内側ガラスに対向させた。
【図面の簡単な説明】
【００１２】
【図１】本実施形態に係る、オープンショーケースの外観斜視図。
【図２】第１の実施形態に係る、オープンショーケース一部の横断平面図。
【図３】同実施形態に係る、ＬＥＤ照明装置の概略正面図と、ＬＥＤ照明装置を取付けたオープンショーケースの概略縦断面図。
【図４】第２の実施形態に係る、オープンショーケース一部の横断平面図。
【発明を実施するための形態】
【００１３】
以下、本実施形態を図面にもとづいて説明する。なお、説明中に符号を付していない部品については、図示していない。  
図１はオープンショーケースＳの外観斜視図であり、たとえばスーパーマーケットやコンビニエンスストア等の店舗に設置されるものである。
【００１４】
この種のオープンショーケースＳは、左右幅方向寸法に対して上下高さ方向寸法が長い箱状体をなす。底部から所定間隔を存した高さ位置まで、左右前後面が板体で覆われていて、この内部に機械室１０が形成される。機械室１０から上部は断熱箱体１１となって一体化される。
【００１５】
断熱箱体１１の前面は開口部１２であり、ここから内部に収納室１３が形成される。前面は全て開口しているので、開口部１２から収納室１３内への被陳列物（以下、「商品」と呼ぶ）への出し入れは自在である。収納室１３には、上下方向に複数段の陳列棚１４が設けられていて、この棚（網状体としてもよい）の上に缶飲料等の商品を載置できる。
【００１６】
断熱箱体１１の左右両側面は、その間に空間を設けた２枚の透明な板ガラスからなる複層ガラス１５が用いられている。顧客は、この透明な複層ガラス１５を介して側面からも陳列棚１４に陳列された内部の商品を見ることができる。  
複層ガラス１５の下端縁は機械室１０の上端面に設けられる露受け皿４０上に載り、幅方向はオープンショーケースＳ自体の奥行き方向全長に亘って形成される。複層ガラス１５の上端縁はオープンショーケースＳの天井板１６と一致する。
【００１７】
さらに、機械室１０の上面と断熱箱体１１の背面をなす背面板１７および断熱箱体１１の天井面をなす天井板１６から、それぞれ所定間隔を存した位置に幕板１８が設けられる。幕板１８の両端部は左右両側面の複層ガラス１５の内側に沿って折曲げ形成され、実質的に収納室１３は、これら複層ガラス１５と幕板１８の内側に形成されることになる。
【００１８】
機械室１０には、圧縮機、凝縮器、膨張装置、これらを連通する冷媒配管等および各種電気部品用の電源回路が収容される。背面側幕板１８と背面板１７との間のスペースに蒸発器が配置され、機械室１０内の圧縮機や凝縮器と冷媒配管を介して冷凍サイクル装置を構成するように連通される。
【００１９】
蒸発器の近傍部位には、この蒸発器に通風する送風機が配置される。幕板１８と天井板１６との間のスペースと、天井面側の幕板１８には、開口部１２に向けて冷気吹出し口１９ａが設けられ、収納室１３の底部前面に吸込み口１９ｂが設けられる。  
冷気吹出し口１９ａおよび吸込み口１９ｂは、機械室１０の上面と、背面板１７および天井板１６と幕板１８との間の空間でつながり、この空間がダクトの役割を果すことになる。
【００２０】
圧縮機を駆動して冷凍サイクル運転をなすとともに、送風機を駆動することで、吸込み口１９ｂから空気が吸込まれる。この空気が前記ダクト内に位置する蒸発器で熱交換し、生成された冷気が冷気吹出し口１９ａから吹出され、前面開口部１２に沿ってエアーカーテンを形成する。収納室１３の前面は常時開口しているが、下方に落下する冷気のエアーカーテンにより充分に冷却される。
【００２１】
冷風は、前面開口部１２の下端部の吸込み口１９ｂから吸込まれ、ダクトを介して再び冷気吹出し口１９ａへ循環する。ダクトを流通する途中で、再び蒸発器と熱交換して温度低下するので、収納室１３の温度上昇を抑制できる。  
なお、背面側幕板１８の陳列棚１４が取付けられる位置に適宜、冷却孔を穿設して、一部の冷気をこの冷却孔から直接、収納室１３に導くようにしても良い。
【００２２】
以上のように形成されるオープンショーケースＳは、収納室１３内の陳列棚１４上の商品を照明するＬＥＤ照明装置２０が、左右両側面を形成する複層ガラス１５の前端縁に沿った複層ガラスの内部に設けられる。  
図２は、第１の実施形態のＬＥＤ照明装置２０を説明するためのオープンショーケースＳの一部横断平面図である。
【００２３】
ＬＥＤ照明装置２０を説明する前に、オープンショーケースの左右側面を構成する複層ガラス１５について詳述する。  
複層ガラス１５は、内側ガラス１５ａと外側ガラス１５ｂおよび、これら内側ガラス１５ａと外側ガラス１５ｂの全周縁部に沿って介在され、乾燥剤を兼用するシール材１５ｃとからなる。たとえば、内外側ガラス１５ａ，１５ｂの板厚は３ｍｍのものが用いられ、これらの全周縁部に沿って介在されるシール材１５ｃは６ｍｍの厚さである。
【００２４】
したがって、内側ガラス１５ａと外側ガラス１５ｂの全周縁部以外の部分は、６ｍｍの隙間が形成されることとなり、換言すれば、全周縁部を除き、６ｍｍの隙間を介して内側ガラス１５ａと外側ガラス１５ｂが対向して設けられる。以下、内外側ガラス１５ａ，１５ｂの互いに対向する面、すなわち隙間側の面を内面、反対面を外側という。
【００２５】
乾燥剤を兼用するシール材１５ｃの内周面（内側ガラス１５ａと外側ガラス１５ｂで形成される隙間側）には細かな通気孔が設けられていて、これら通気孔を介して隙間と連通し、隙間の空気を乾燥空気にしている。
【００２６】
内側ガラス１５ａは、外面である収納室１３側が冷却された状態でも、内面に乾燥した密閉空気が充填されているので、内面には露付きが生じない。内面側に乾燥空気が充填されているが、外面が外気に触れる外側ガラス１５ｂは、特に湿度の高い時期に、外面にある程度の露付きが生じることがある。
【００２７】
この露は、そのまま外側ガラス１５ｂ外面を流下して、複層ガラス１５の下部で、機械室１０の上部に載置された露受け皿４０に受けられ、蒸発器のドレン水とともにドレンパイプを介して処理される。したがって、露が複層ガラス１５の外部から内部の収納室１３への視野を損なうようなことはない。
【００２８】
このような複層ガラス１５の前端縁に沿ってＬＥＤ照明装置２０が設けさられ、収納室１３を照明している。  
ＬＥＤ照明装置２０は、不透明材からなるＬＥＤ基板２１の表面に、複数のＬＥＤ素子２２が一列に整列配置して設けられてなる。ＬＥＤ基板２１の裏面は外側ガラス１５ｂの内面に密接固定され、ＬＥＤ素子２２は内側ガラス１５ａに対向している。
【００２９】
ＬＥＤ素子２２から発光する光は、全て内側ガラス１５ａを透過して収納室１３を照射し、外側ガラス１５ｂを照射しない。なお、ＬＥＤ基板２１の裏面と外側ガラス１５ｂ内面との固定は、接着剤や両面テープによって実行される。  
ただし、ＬＥＤ照明装置２０を複層ガラス１５の前端縁に沿った内側に設けたので、そのままでは一部の光は開口部１２からオープンショーケースＳの外部を照射してしまう。顧客が商品を陳列棚１４から取出すべく身体を開口部１２に近づけ、収納室１３へ腕を伸ばした状態で、ＬＥＤ照明装置２０の開口部１２から漏れた光が顧客の顔を射る。
【００３０】
ＬＥＤ照明装置２０の光は強いため、近距離で直接目に入ると極めて眩しく、不快感を与えてしまう。そこで、開口部１２から外部へ出ようとする光のみを遮り、顧客の眩しさを防止するための防眩手段３０を備えることとする。
【００３１】
ここでは、防眩手段３０として、シール材１５ｃに近接する内側ガラス１５ａ内面の一部に、遮光シール材３０ａを貼り付けた。ＬＥＤ素子２２の光は開口部１２から外部へ漏れ出ることはほとんど無く、収納室１３のみを照明する。収納室１３に身体を近づけても眩しさはない。
【００３２】
なお、遮光シール材３０ａは、内側ガラス１５ａの外面に設けてもよいが、内面のほうが剥がれるおそれがなく、好ましい。また、シール材を用いず、内側ガラス１５ａのシール材を貼付する位置に遮光塗装を施すことでもよい。
【００３３】
上下方向に長い収納室１３に対して、複数のＬＥＤ素子２２を上部から下部にわたって一列に整列配置して設けたＬＥＤ照明装置２０を複層ガラス１５の前端縁に沿って設けたので、上部と下部に係らず収納室１３を均一に照明することができる。複数段の陳列棚１４上に載置される商品はいずれの場所でもＬＥＤ素子２２による照明光により均一に照明され、目立つ。
【００３４】
ＬＥＤ照明装置２０は、複層ガラス１５の前端縁に沿うシール材１５ｃ内側の内側ガラス１５ａと外側ガラス１５ｂとの間の隙間に設けられている。そのため、複層ガラス１５から開口部１２側および収納室１３側へ突出するものがない。陳列棚１４の左右幅寸法Ｌと、開口部１２の左右幅寸法Ｌおよび、収納室１３の左右幅寸法Ｌとが一致する。
【００３５】
したがって、陳列棚１４を開口部１２を介して収納室１３に出し入れする際、および収納室１３内の陳列棚１４から商品を取出す際に障害物となるものが無く、スムーズに出し入れできる。ＬＥＤ照明装置２０に全く接触しないですむので、安全性の向上を得られる。また、収納室１３を側面側から照明するにもかかわらず、陳列棚１４の幅寸法を最大限確保できるので、商品の陳列量を増大できる。
【００３６】
図３（Ａ）はＬＥＤ照明装置２０の概略の構成図であり、図３（Ｂ）はＬＥＤ照明装置２０をオープンショーケースＳに取付けた状態を示す図である。  
ＬＥＤ照明装置２０は、幅方向に極端に短く、上下方向に長いＬＥＤ基板２１と、このＬＥＤ基板２１に一列に所定間隔を存して設けられる複数のＬＥＤ素子２２からなる。ＬＥＤ基板２１の上端部には、端子部２３が設けられ、この端子部２３にリード線２４の端子部２５が電気的に接続される。
【００３７】
リード線２４は、複層ガラス１５の前端縁の上部において、シール材１５ｃを気密状態に保ったままで内側から外側に貫通して複層ガラス１５の外側に引き出され、断熱箱体１１の前面上端部から天井板１６の内側に沿って敷設され、さらに背面板１７と幕板１８の間で、天井板１６近くに取付けられたＬＥＤ電源部４１に接続される。
【００３８】
ＬＥＤ電源部４１は、図示しない商用電源ラインからの電力を受けて、ＬＥＤ照明装置２０の複数のＬＥＤ素子２２を点灯させるための直流電源を発生する。なお、ＬＥＤ電源部４１には、必要に応じてＬＥＤ素子２２のオン／オフや、その明るさの調整を制御する制御回路を内蔵させてもよい。
【００３９】
上述したように、複層ガラス１５の、特に外側ガラス１５ｂには、気象条件に応じて露付きが生じることがある。これら露は複層ガラス１５の下端部に設けられるガラス受けと兼用する露受け皿４０に流れる。  
これに対し、ＬＥＤ基板２１に接続するリード線２４を収納室１３の上部へ配線することで、複層ガラス１５に付く露（水滴）とは無縁となり、露による絶縁劣化等のリスクを低減できる。
【００４０】
図４は、第２の実施形態を示す、オープンショーケースＳの一部横断平面図である。  
第１の実施形態では、ＬＥＤ照明装置２０の照明光が収納室１３を照明するばかりでなく、一部の光は開口部１２から外部へ漏れようとするので、防眩手段３０として、遮光シール材３０ａを内側ガラス１５ａに貼り付けた。
【００４１】
第２の実施形態では、傾けた状態のＬＥＤ照明装置２０Ａ自体を防眩手段３０とする。すなわち、ＬＥＤ素子２２からの光が収納室１３のみを照明し、前面開口部１２から外側に漏れないように、ＬＥＤ照明装置２０Ａを収納室１３の内側（後方）に傾いた状態にした。第１の実施形態のような遮光シール材３０ａが不要となり、貼付ける手間もかからずにすむ。
【００４２】
また、ＬＥＤ素子２２に対するレンズ設計により、照明角度を調整することも可能であり、特に傾けて取付けなくても、必要部分のみの照明が得られる。  
なお、収納室１３を照明したＬＥＤ照明装置２０の照明光は、収納室１３を介して対向する、いわゆる相手方の複層ガラス１５までを照明し、さらにその複層ガラス１５を透過して外部までを照明することになる。
【００４３】
しかしながら、ＬＥＤ照明装置２０の照明光が相手方の複層ガラス１５外部まで照明するに至る間に、収納室１３内の複数の陳列棚１４と、陳列棚１４上の商品を照明する。さらに、相手方の複層ガラス１５を照明し、これを透過するので、ある程度は照度が落ちる。したがって、相手方の複層ガラス１５の外部において、眩しさを感じることはない。
【００４４】
また、複層ガラス１５の特に外側ガラス１５ｂを色付けして外部へ漏れる光を色付けしたり、磨りガラス状にして漏れる光を散乱光にしたり、もしくは商品名を描くことで、かえってオープンショーケースＳ全体が目立ち、宣伝効果が増す。
【００４５】
このように、左右両側面の複層ガラス１５内にＬＥＤ照明装置２０を設けたので、複層ガラス１５から内面や外面へ出っ張る部分が無くなり、内面の収納室１３の収納面積を確保し、外面では省スペース化を得られる。
【００４６】
蛍光灯を用いた照明装置と比較して、蛍光灯カバーなどの保護具と、取付け具と、漏電防止等で必要としていた防水タイプの蛍光灯ソケットが不要となり、安価に提供できる。
【００４７】
蛍光灯の輻射熱で商品に温度上昇の悪影響を与えていたが、ＬＥＤ照明装置２０を用いることで温度上昇を避けられる。冷凍サイクル装置の冷却エネルギーを抑制でき、省電力化に繋げられる。  
ＬＥＤ照明装置２０に用いるＬＥＤ素子２２の数を、予めオープンショーケースＳの大きさや内部に収納する商品に合わせて決めることで、照度を調整できる。したがって、そのオープンショーケースＳに最適な必要照度を得られ、照明効果の向上を得る。
【００４８】
また、左右幅方向が狭いオープンショーケースにおいては、片方の複層ガラス１５内にＬＥＤ照明装置２０を設けるだけで、内部全体を十分照明できるため、両側面のいずれか一方に設けた複層ガラス１５内にのみＬＥＤ照明装置２０を設けても良い。また、この場合、ＬＥＤ照明装置２０を設けない側の側面は、複層ガラス１５を用いることなく、単なる断熱板としても良い。
【００４９】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５０】
１２…開口部、１４…陳列棚、１３…収納室、１５…複層ガラス、１１…断熱箱体、１５ａ…内側ガラス、１５ｂ…外側ガラス、１５ｃ…シール材、２０…ＬＥＤ照明装置、２１…ＬＥＤ基板、２２…ＬＥＤ素子、２４…リード線、３０…防眩手段。
【図１】
0005919016.tif 000002
【図２】
0005919016.tif 000003
【図３】
0005919016.tif 000004
【図４】
0005919016.tif 000005